(57)【要約】【課題】使用者の鼻の周りや顎の周りからの空気の漏れや侵入を防止することが可能なマスクを提供する。【解決手段】マスク１に、外形が長方形で複数の通気性を有するシートにより形成されているマスク本体２と、マスク本体２の一対の長辺付近において夫々の長辺に沿って延びるように夫々取付けられており、使用者の鼻及び顎の周りに沿って夫々曲げられ、可塑性を有する一対の保形部材３と、マスク本体２の一対の短辺に夫々取付けられている一対の装着紐４と、を備える。【選択図】図１
2017197851.tif 000002
【特許請求の範囲】
【請求項１】
外形が長方形で複数の通気性を有するシートにより形成されているマスク本体と、
該マスク本体の一対の長辺付近において夫々の長辺に沿って延びるように夫々取付けられており、可塑性を有する一対の保形部材と、
前記マスク本体の一対の短辺に夫々取付けられている一対の装着紐と
を具備していることを特徴とするマスク。
【発明の詳細な説明】
【技術分野】
【０００１】
本発明は、使用者の鼻及び口を覆うマスクに関するものである。
【背景技術】
【０００２】
使用者の鼻及び口を覆うマスクとして、横長の四角形で不織布シートを複数枚重ねたマスク本体と、マスク本体の上辺に埋設されているノーズグリップと、マスク本体の両側辺に取付けられている一対の装着紐とを備えたものが提案されている（特許文献１）。この特許文献１の技術によれば、使用者が、アルミニウムの平角材からなるノーズグリップを、鼻の形状に合わせて屈曲させると共に、一対の装着紐を耳にかけまわして回して装着することにより、マスク本体の上辺を鼻の周りに密着させて、空気の漏れや侵入を防ぐことができる。
【０００３】
しかしながら、特許文献１の技術では、マスク本体における上辺の鼻の周りからの空気の漏れ等を防ぐことはできるものの、下辺の顎の回りからの空気の漏れや侵入を十分に防ぐことができなかった。
【先行技術文献】
【特許文献】
【０００４】
【特許文献１】特開２０１２−１６１３７０号公報
【発明の概要】
【発明が解決しようとする課題】
【０００５】
そこで、本発明は、上記の実情に鑑み、使用者の鼻の周りや顎の周りからの空気の漏れや侵入を防止することが可能なマスクの提供を課題とする。
【課題を解決するための手段】
【０００６】
上記の課題を解決するために、本発明に係るマスクは、「外形が長方形で複数の通気性を有するシートにより形成されているマスク本体と、該マスク本体の一対の長辺付近において夫々の長辺に沿って延びるように夫々取付けられており、可撓性及び保形性を有する一対の保形部材と、前記マスク本体の一対の短辺に夫々取付けられている一対の装着紐とを具備している」ものである。
【０００７】
ここで、「シート」としては、「不織布」、「織布」、「シート状のスポンジ」、を例示することができる。また、「マスク本体」としては、同じ素材のシートを重ねたものであっても良いし、異なる素材のシートを重ねたものであっても良い。
【０００８】
また、「保形部材」の形状としては、「ワイヤー状」、「帯板状」、を例示することができる。また、「保形部材」の材質としては、自在に曲げることができると共に曲げた形状のままで保持できるものであれば良く、「アルミニウム」、「銅」、「真鍮」、「鉄」、「樹脂」、を例示することができる。
【０００９】
本構成のマスクは、マスク本体の向きを、一対の保形部材が取付けられている一対の長辺が上辺及び下辺となるようにし、上辺側の保形部材を使用者の鼻の形状に合わせて屈曲させると共に、下辺側の保形部材を顎の形状に合わせて屈曲させ、両側の短辺に取付けられている装着紐を耳にかけまわすことにより装着することができる。
【００１０】
これにより、一対の保形部材によって、マスク本体の上辺を鼻の周りに密着させることができると共に、マスク本体の下辺を顎の周りに密着させることができ、使用者の鼻の周りや顎の周りからの空気の漏れや侵入を防止することができる。
【００１１】
また、マスク本体の一対の長辺に、夫々保形部材を取付けているため、特許文献１のような従来のマスクとは異なり、マスク本体を横長に向けた状態であれば、上下を反転させても使用することができる。従って、本マスクを装着する時に、マスク本体の向きを気にする必要がなく、装着の手間を簡素にすることができる。
【発明の効果】
【００１２】
以上のように、本発明の効果として、使用者の鼻の周りや顎の周りからの空気の漏れや侵入を防止することが可能なマスクを提供することができる。
【図面の簡単な説明】
【００１３】
【図１】本発明の一実施形態であるマスクの正面図である。
【発明を実施するための形態】
【００１４】
本発明の一実施形態であるマスク１について、図１を参照して詳細に説明する。本実施形態のマスク１は、外形が長方形で複数の通気性を有するシートにより形成されているマスク本体２と、マスク本体２の一対の長辺付近において夫々の長辺に沿って延びるように夫々取付けられており、可撓性及び保形性を有する一対の保形部材３と、マスク本体２の一対の短辺に夫々取付けられている一対の装着紐４と、を備えている。
【００１５】
マスク本体２は、複数のシートが、一対の長辺付近において夫々長辺に沿ってミシン縫いされることにより形成されている。マスク本体２は、一対の長辺付近の夫々において、ミシン縫いによる縫い目によって保形部材３が挿入される袋部２ａを有している。また、マスク本体２は、三次元的に変形できるように、短辺の延びている方向の複数個所において折返されている。また、マスク本体２は、装着した時に、使用者の鼻及び口を含む顔の下部を覆うことができる大きさに形成されている。本実施形態では、マスク本体２を形成しているシートが、不織布である。
【００１６】
保形部材３は、帯板状に形成されており、マスク本体２の袋部２ａ内に挿入されることにより取付けられている。本実施形態では、保形部材３はアルミニウムである。
【００１７】
装着紐４は、伸縮性を有している。本実施形態では、装着紐４はゴム紐である。
【００１８】
次に、本実施形態のマスク１の使用方法について説明する。まず、マスク本体２の向きを、つまり、一対の保形部材３が取付けられている一対の長辺が上辺及び下辺となる向き、つまり、横長となる向きにする。そして、上辺側の保形部材３を使用者の鼻の形状に合わせて屈曲させると共に、下辺側の保形部材３を顎の形状に合わせて屈曲させる。その後、両側の短辺に取付けられている装着紐４を、耳にかけまわすことにより装着することができる。
【００１９】
このように、本実施形態のマスク１によれば、一対の保形部材３によって、マスク本体２の上辺を鼻の周りに密着させることができると共に、マスク本体２の下辺を顎の周りに密着させることができ、使用者の鼻の周りや顎の周りからの空気の漏れや侵入を防止することができる。
【００２０】
また、マスク本体２の一対の長辺に、夫々保形部材３を取付けているため、一方の長辺側にのみ取付けた従来のマスクとは異なり、マスク本体２を横長に向けた状態であれば、上下を反転させても使用することができる。従って、マスク１を装着する時に、マスク本体２の向きを気にする必要がなく、装着の手間を簡素にすることができる。
【００２１】
以上、本発明について好適な実施形態を挙げて説明したが、本発明は上記の実施形態に限定されるものではなく、本発明の要旨を逸脱しない範囲において、種々の改良及び設計の変更が可能である。
【００２２】
例えば、上記の実施形態では、保形部材３として、帯板状のものを示したが、これに限定するものではなく、ワイヤー状のものとしても良い。また、保形部材３の材質として、アルミニウムを示したが、これに限定するものではなく、銅、真鍮、鉄、樹脂、等の素材としても良い。
【符号の説明】
【００２３】
１  マスク
２  マスク本体
２ａ  袋部
３  保形部材
４  装着紐
【図１】
2017197851.tif 000003